(57)【特許請求の範囲】
【請求項１】
並列に配列された複数の鍵本体と、
この複数の鍵本体の各後端部にそれぞれ設けられて前記複数の鍵本体における上下方向の回転支点となる複数の回転軸部と、
この複数の回転軸部をそれぞれ回転可能な状態で前記鍵本体の配列方向に沿って連結する連結部と、
それぞれ、対応する前記回転軸部と前記連結部との間に、対応する前記回転軸部と前記連結部とに連結されて上下方向に屈曲する複数の屈曲部と、
を備えていることを特徴とする鍵構造。
【請求項２】
請求項１に記載の鍵構造において、前記複数の回転軸部には、前記鍵本体の配列方向に貫通する軸孔がそれぞれ設けられており、この軸孔には、前記回転軸部を上下方向に回転可能に支持する支持軸が挿入されていることを特徴とする鍵構造。
【請求項３】
請求項２に記載の鍵構造において、前記複数の回転軸部には、前記支持軸を前記軸孔内に挿入するための切欠き部が、設けられていることを特徴とする鍵構造。
【請求項４】
請求項１〜請求項３のいずれかに記載の鍵構造において、第１回転軸部を有する第１鍵本体が第１連結部によって所定間隔で連結された第１鍵ユニットと、第２回転軸部を有する第２鍵本体が前記第１鍵本体の各間に位置した状態で第２連結部によって連結された第２鍵ユニットとを備え、前記第１鍵本体の各間に前記第２鍵本体を配置した際に、前記第１連結部と前記第２連結部とが重なることを特徴とする鍵構造。
【請求項５】
請求項４に記載の鍵構造において、前記第１および第２の各回転軸部のうち、一方の回転軸部には、その端面から前記鍵本体の配列方向に向けて突出する突起軸が設けられており、前記第１および第２の回転軸部のうち、他方の回転軸部には、前記突起軸が挿入する軸孔がそれぞれ前記鍵本体の配列方向に貫通して設けられていると共に、前記突起軸を前記軸孔内に挿入するための切欠部が設けられていることを特徴とする鍵構造。
【請求項６】
複数の鍵が鍵盤シャーシ上に配列された状態でそれぞれ上下方向に回転可能に設けられた鍵盤装置において、
前記複数の鍵は、前記鍵盤シャーシ上に並列に配列される複数の鍵本体と、この複数の鍵本体の各後端部にそれぞれ設けられて前記複数の鍵本体における上下方向の回転支点となる複数の回転軸部と、この複数の回転軸部をそれぞれ上下方向に屈曲する屈曲部によって前記鍵本体の配列方向に沿って連結する連結部とを備えており、
前記鍵盤シャーシには、前記複数の回転軸部をそれぞれ上下方向に回転可能に支持する鍵支持部が設けられていることを特徴とする鍵盤装置。
【請求項７】
請求項６に記載の鍵盤装置において、前記鍵支持部は、前記複数の回転軸部をそれぞれ回転可能に保持する複数の軸受け部であることを特徴とする鍵盤装置。
【請求項８】
請求項６または請求項７に記載の鍵盤装置において、前記複数の回転軸部には、前記鍵本体の配列方向に貫通する軸孔がそれぞれ設けられており、前記鍵支持部は、前記複数の回転軸部の前記各軸孔に連続して挿入する支持軸と、この支持軸を支持する軸支持部とを備えていることを特徴とする鍵盤装置。
【発明の詳細な説明】
【技術分野】
【０００１】
この発明は、電子ピアノや電子オルガンなどの鍵盤楽器に用いられる鍵構造および鍵盤装置に関する。
【背景技術】
【０００２】
従来、電子ピアノなどの鍵盤装置においては、特許文献１に記載されているように、複数の鍵を一体に成形して一度に鍵盤シャーシに組み付けるために、複数の鍵の各後端部にそれぞれ上下方向に屈曲する肉厚の薄い屈曲部を形成し、この屈曲部を鍵の配列方向に連続する連結部に順次連結させた構成のものが知られている。
【先行技術文献】
【特許文献】
【０００３】
【特許文献１】特開平０５−１１７４７号公報
【発明の概要】
【発明が解決しようとする課題】
【０００４】
しかしながら、このような従来の鍵盤装置では、屈曲部が薄肉に形成されているため、複数の鍵を一体に成形した際に、その成形精度によって隣接する鍵間の隙間や鍵の並びが不均一になることがあるほか、鍵を押鍵操作した際に、鍵の回転支点である屈曲部が不安定な屈曲動作をすることがある。
【０００５】
例えば、鍵を押鍵操作して屈曲部を屈曲させた際に、屈曲部が上下方向に屈曲する以外に、鍵の配列方向に傾いた状態で屈曲することがある。このような場合には、鍵がその配列方向に傾いた状態で上下方向に回転するという所謂、ローリング動作をする。
【０００６】
このため、このような従来の鍵盤装置では、複数の鍵を一体に成形した際の成形精度によって鍵間の隙間や鍵の並びが不均一になったり、押鍵時に鍵がローリング動作などの不安定な動作をしたりするのを防ぐために、鍵盤シャーシに鍵を上下方向にガイドする鍵ガイド部を設ける必要がある。しかし、このように鍵ガイド部を設けると、部品点数が増大すると共に、構造が複雑になり、組立作業が煩雑になるばかりか、製造コストが高くなるという問題が生じる。
【０００７】
この発明が解決しようとする課題は、鍵ガイドを用いずに、鍵間の隙間や鍵の並びを均一に維持することができると共に、鍵を上下方向に安定した状態で良好に回転させることができる鍵構造および鍵盤装置を提供することである。
【課題を解決するための手段】
【０００８】
この発明は、並列に配列された複数の鍵本体と、この複数の鍵本体の各後端部にそれぞれ設けられて前記複数の鍵本体における上下方向の回転支点となる複数の回転軸部と、この複数の回転軸部をそれぞれ回転可能な状態で前記鍵本体の配列方向に沿って連結する連結部と、それぞれ、対応する前記回転軸部と前記連結部との間に、対応する前記回転軸部と前記連結部とに連結されて上下方向に屈曲する複数の屈曲部と、を備えていることを特徴とする鍵構造である。
【発明の効果】
【０００９】
この発明によれば、複数の鍵本体の各後端部にそれぞれ設けられた複数の回転軸部を連結部によって回転可能な状態で鍵本体の配列方向に沿って連結した状態で、複数の鍵本体を一体に成形することができると共に、このように複数の鍵本体を一体に形成しても、鍵本体の前端から回転軸部までの剛性を確保することができる。このため、各回転軸部を均一に配列することにより、鍵間の隙間や鍵の並びを均一に維持することができる。
【００１０】
また、複数の鍵本体を連結部によって一体に形成しても、各回転軸部をそれぞれ独立して回転させることができるので、鍵を押鍵操作した際に、鍵がその配列方向に傾いて上下方向に回転するローリング動作などの不安定な動作を防ぐことができる。これにより、鍵ガイドを用いなくても、鍵間の隙間や鍵の並びを均一に維持することができると共に、鍵を上下方向に安定した状態で良好に回転させることができる。
【図面の簡単な説明】
【００１１】
【図１】この発明を鍵盤楽器に適用した実施形態１を平面図である。
【図２】図１に示された鍵盤楽器の鍵盤部を示した要部の拡大平面図である。
【図３】図２に示された鍵盤部のＡ−Ａ矢視における拡大断面図である。
【図４】図２に示された鍵盤部における第１の白鍵ユニットを示し、（ａ）はその拡大平面図、（ｂ）はそのＢ−Ｂ矢視における拡大断面図である。
【図５】図２に示された鍵盤部における第２の白鍵ユニットを示し、（ａ）はその拡大平面図、（ｂ）はそのＣ−Ｃ矢視における拡大断面図である。
【図６】図２に示された鍵盤部における黒鍵ユニットを示し、（ａ）はその拡大平面図、（ｂ）はそのＤ−Ｄ矢視における拡大断面図である。
【図７】図３に示された鍵盤部の鍵盤シャーシを示した拡大断面図である。
【図８】図７に示された鍵盤シャーシを示した拡大平面図である。
【図９】図８に示された鍵盤シャーシのＥ−Ｅ矢視における拡大断面図である。
【図１０】この発明を鍵盤楽器に適用した実施形態２において、鍵盤部の要部を示した拡大平面図である。
【図１１】図１０に示された鍵盤部のＦ−Ｆ矢視における拡大断面図である。
【図１２】図１１に示された鍵盤部の鍵盤シャーシを示した拡大断面図である。
【図１３】図１２に示された鍵盤シャーシを示した拡大平面図である。
【図１４】図１３に示された鍵盤シャーシのＧ−Ｇ矢視における拡大断面図である。
【図１５】この発明を鍵盤楽器に適用した実施形態３において、鍵盤部の要部を示した拡大平面図である。
【図１６】図１５に示された鍵盤部を右側から見て示した拡大側面図である。
【図１７】図１６に示された鍵盤部における回転軸部の軸孔内に支持軸を下側から相対的に挿入する状態を示した要部の拡大側面図である。
【図１８】図１５に示された鍵盤部における第１の白鍵ユニットを示し、（ａ）はその拡大平面図、（ｂ）はその要部を示した拡大裏面図である。
【図１９】図１５に示された鍵盤部における第２の白鍵ユニットを示し、（ａ）はその拡大平面図、（ｂ）はその要部を示した拡大裏面図である。
【図２０】図１５に示された鍵盤部における黒鍵ユニットを示し、（ａ）はその拡大平面図、（ｂ）はその要部を示した拡大裏面図である。
【図２１】この発明を鍵盤楽器に適用した実施形態４における黒鍵ユニットを示した拡大平面図である。
【図２２】図２１に示された黒鍵ユニットを右側から見て示した拡大側面図である。
【発明を実施するための形態】
【００１２】
（実施形態１）
以下、図１〜図９を参照して、この発明を鍵盤楽器に適用した実施形態１について説明する。
この鍵盤楽器は、図１に示すように、楽器本体１を備えている。この楽器本体１は、左右方向に細長い箱形状に形成されている。この楽器本体１は、図１〜図３に示すように、上部ケース２と、下ケースを兼ねる鍵盤シャーシ３とを備えている。この楽器本体１内には、鍵盤部４が上方に露出した状態で設けられている。
【００１３】
上部ケース２の中央部には、図１に示すように、液晶表示パネルやＥＬ（エレクトロルミネッセンス）表示パネルなどの平面型の表示パネルからなる表示部５が設けられている。この表示部５の両側に位置する上部ケース２の上面には、音量調整や音色選択をするための各種の操作スイッチ６が設けられている。また、この上部ケース２の左右両側部には、楽音を放音するためのスピーカ部７がそれぞれ設けられている。
【００１４】
鍵盤部４は、図２、図４〜図６に示すように、第１の白鍵ユニット８と、第２の白鍵ユニット９と、黒鍵ユニット１０とを備えている。第１の白鍵ユニット８は、図４（ａ）および図４（ｂ）に示すように、複数の鍵本体１１（Ｃ、Ｅ、Ｇ、Ｂの各鍵）の各後端部（図４（ｂ）では右端部）にそれぞれ回転軸部１２が設けられ、この各回転軸部１２がそれぞれ上下方向に屈曲する屈曲部１３を介して連結部１４に連結された構成になっている。
【００１５】
また、第２の白鍵ユニット９は、図５（ａ）および図５（ｂ）に示すように、複数の鍵本体１５（Ｄ、Ｆ、Ａの各鍵）の各後端部（図５（ｂ）では右端部）にそれぞれ回転軸部１６が設けられ、この各回転軸部１６がそれぞれ上下方向に屈曲する屈曲部１７を介して連結部１８に連結された構成になっている。
【００１６】
さらに、黒鍵ユニット１０は、図６（ａ）および図６（ｂ）に示すように、複数の鍵本体１９（Ｃ＃、Ｄ＃、Ｆ＃、Ｇ＃、Ａ＃の各鍵の各鍵）の各後端部（図６（ｂ）では右端部）にそれぞれ回転軸部２０が設けられ、この各回転軸部２０がそれぞれ上下方向に屈曲する屈曲部２１を介して連結部２２に連結された構成になっている。
【００１７】
この場合、第１、第２の各白鍵ユニット８、９および黒鍵ユニット１０の各回転軸部１２、１６、２０は、それぞれ各鍵本体１１、１５、１９の各回転支点であり、その軸中心が各鍵本体１１、１５、１９の配列方向（以下、鍵配列方向と称する。）に沿って同一軸上に連続するように形成されている。この各回転軸部１２、１６、２０には、鍵配列方向に沿って貫通する軸孔１２ａ、１６ａ、２０ａがそれぞれ設けられている。この各軸孔１２ａ、１６ａ、２０ａは、成形用金型によって射出成形する際における成形樹脂のヒケを防ぐためのものである。
【００１８】
これにより、鍵盤部４は、図２および図３に示すように、第１、第２の各白鍵ユニット８、９および黒鍵ユニット１０の各鍵本体１１、１５、１９が鍵盤シャーシ３上に並列に配列され、この状態で各回転軸部１２、１６、２０が鍵盤シャーシ３上に設けられた後述する複数の軸受け部２３にそれぞれ上下方向に回転可能に取り付けられると共に、各連結部１４、１８、２２が鍵盤シャーシ３上に設けられた後述する取付ボス２４に取り付けられるように構成されている。
【００１９】
この場合、第１、第２の各白鍵ユニット８、９は、図４および図５に示すように、各鍵本体１１、１５および各回転軸部１２、１６が同じ位置で同じ大きさに形成されていると共に、図４（ｂ）および図５（ｂ）に示すように、各鍵本体１１、１５の前端（図４（ｂ）および図５（ｂ）では左端部）から各回転軸部１２、１６までの剛性が高くなるように形成されている。
【００２０】
この第１、第２の各白鍵ユニット８、９の各鍵本体１１、１５には、図４（ｂ）および図５（ｂ）に示すように、スイッチ押圧部２５およびストッパフック部２６がそれぞれ設けられている。また、第１、第２の各白鍵ユニット８、９は、各回転軸部１２、１６に対する各連結部１４、１８およびその各屈曲部１３、１７の連結位置が、第１、第２の白鍵ユニット８、９ごとに、異なった構成になっている。
【００２１】
すなわち、第１の白鍵ユニット８の各屈曲部１３は、各回転軸部１２の外周面の後部において、回転軸部１２の回転中心に対応する箇所に設けられている。これに伴って第１の白鍵ユニット８の連結部１４も、回転軸部１２の回転中心に対応する箇所に設けられている。この連結部１４には、鍵盤シャーシ３の取付ボス２４に取り付けられる取付片１４ａが所定間隔で設けられている。
【００２２】
第２の白鍵ユニット９の各屈曲部１７は、各回転軸部１６の外周面の後部において、回転軸部１６の回転中心に対して少し上側に位置する箇所に設けられている。これに伴って第２の白鍵ユニット９の連結部１８も、回転軸部１６の回転中心に対して少し上側に位置する箇所に設けられている。この連結部１８には、鍵盤シャーシ３の取付ボス２４に取り付けられる取付片１８ａが第１の白鍵ユニット８の各取付片１４ａよりも狭い間隔で設けられている。
【００２３】
また、黒鍵ユニット１０は、図６（ａ）および図６（ｂ）に示すように、各鍵本体１９が第１、第２の各鍵ユニット８、９の各鍵本体１１、１５よりも短く形成されていると共に、各鍵本体１９の高さが第１、第２の各鍵ユニット８、９の各鍵本体１１、１５よりも高く形成されている。この場合にも、黒鍵ユニット１０は、図６（ｂ）に示すように、各鍵本体１９の前端（図６（ｂ）では左端部）から各回転軸部２０までの剛性が高くなるように形成されている。
【００２４】
この黒鍵ユニット１０の各鍵本体１９には、図６（ｂ）に示すように、第１、第２の各鍵ユニット８、９の各鍵本体１１、１５と同様、スイッチ押圧部２５およびストッパフック部２６がそれぞれ設けられている。また、この黒鍵ユニット１０の回転軸部２０も、第１、第２の各鍵ユニット８、９の各回転軸部１２、１６と同じ位置で同じ大きさに形成されている。
【００２５】
また、この黒鍵ユニット１０の各屈曲部２１は、図６（ａ）および図６（ｂ）に示すように、各回転軸部２０の外周面の後部において、回転軸部２０の回転中心に対して少し下側に位置する箇所に設けられている。これに伴って黒鍵ユニット１０の連結部２２も、回転軸部２０の回転中心に対して少し下側に位置する箇所に設けられている。この連結部２２には、鍵盤シャーシ３の取付ボス２４に取り付けられる取付片１８ａが第２の白鍵ユニット９の各取付片１４ａと同じ間隔で設けられている。
【００２６】
このような第１、第２の各白鍵ユニット８、９および黒鍵ユニット１０は、図２および図３に示すように、黒鍵ユニット１０の各鍵本体１９の間に第１の白鍵ユニット８の各鍵本体１１を上方から配置し、黒鍵ユニット１０の連結部２２上に第１の白鍵ユニット８の連結部１４を重ね合わせ、この状態で黒鍵ユニット１０の各鍵本体１９と第１の白鍵ユニット８の各鍵本体１１との間に第２の白鍵ユニット９の各鍵本体１５を上方から配置し、第１の白鍵ユニット８の連結部１４上に第２の白鍵ユニット９の連結部１８を重ね合わせることにより、各鍵本体１１、１５、１９が音階順に配列されるように構成されている。
【００２７】
この場合、第１、第２の各白鍵ユニット８、９および黒鍵ユニット１０の各連結部１４、１８、２２にそれぞれ設けられた各取付片１４ａ、１８ａ、２２ａのうち、第２の白鍵ユニット９の取付片１８ａと黒鍵ユニット１０の取付片２２ａとは、図２に示すように、同じ間隔で設けられ、互いに重なり合うように構成されている。また、第１の白鍵ユニット８の取付片１４ａは、第２の白鍵ユニット９および黒鍵ユニット１０の各取付片１８ａ、２２ａの間隔よりも広く設けられている。
【００２８】
一方、鍵盤シャーシ３は、図３および図７に示すように、その前端部（図３では左端部）に第１、第２の各白鍵ユニット８、９の各鍵本体１１、１５における各前端面を覆う鍵カバー部２７が上方に突出して設けられた構成になっている。また、この鍵盤シャーシ３の中間に位置する箇所の前側には、下限ストッパ搭載部２８が鍵盤シャーシ３の底部から少し上方に突出して設けられている。この下限ストッパ搭載部２８上には、各鍵本体１１、１５、１９の各ストッパフック部２６が上方から当接することにより、各鍵本体１１、１５、１９の各下限位置を規制するための下限ストッパ部２９が設けられている。
【００２９】
また、この鍵盤シャーシ３における下限ストッパ搭載部２８の後部（図３では右側）に位置する箇所には、図３および図７に示すように、立上り部３０が鍵カバー部２７とほぼ同じ高さで設けられている。この立上り部３０には、各鍵本体１１、１５、１９の各ストッパフック部２６から後方（図３では右側）に突出した突起部２６ａが上下方向に移動可能に挿入する開口部３０ａが設けられている。
【００３０】
この立上り部３０の上部には、図３および図７に示すように、上限ストッパ搭載部３１が鍵カバー部２７とほぼ同じ高さで設けられている。この上限ストッパ搭載部３１の下面には、各ストッパフック部２６の後方に突出した突起部２６ａが下側から当接することにより、各鍵本体１１、１５、１９の各上限位置を規制する上限ストッパ部３２が設けられている。
【００３１】
また、この上限ストッパ搭載部３１の後部に位置する箇所には、図３および図７に示すように、基板搭載部３３が上限ストッパ搭載部３１とほぼ同じ高さで設けられている。この基板搭載部３３上には、図７および図８に示すように、スイッチ基板３４が鍵配列方向に沿って連続して設けられており、このスイッチ基板３４上には、スイッチ部３５が設けられている。
【００３２】
このスイッチ部３５は、図３、図７および図８に示すように、ゴムシートにドーム状の膨出部３５ａが各鍵本体１１、１５、１９の各スイッチ押圧部２５にそれぞれ対応して形成された構成になっている。この各膨出部３５ａの内部には、可動接点（図示せず）がそれぞれ設けられている。この各可動接点は、スイッチ基板３４上に設けられた各固定接点（図示せず）に接離可能に上方に離れた状態でそれぞれ対向している。
【００３３】
これにより、スイッチ部３５は、各ドーム状の膨出部３５ａが各鍵本体１１、１５、１９の各スイッチ押圧部２５によって上方から押された際に、各ドーム状の膨出部３５ａが弾性変形して、その内部の可動接点がスイッチ基板３４上の固定接点に接触することにより、スイッチ信号を出力するように構成されている。
【００３４】
また、この鍵盤シャーシ３の後部には、図３および図７に示すように、鍵搭載部３６が鍵カバー部２７よりも少し上方に突出して設けられている。この鍵搭載部３６上には、複数の軸受け部２３および複数の取付ボス２４が、各鍵本体１１、１５、１９に対応して設けられている。
【００３５】
複数の軸受け部２３は、図７および図８に示すように、各鍵本体１１、１５、１９の各回転軸部１２、１６、２０をそれぞれ回転可能に保持するためのものであり、上側が開放されたほぼ半円形の凹部２３ａと、この凹部２３ａの後端（図７では右端部）における各回転軸部１２、１６、２０の各両端部に位置する箇所に上方に突出して設けられた円弧状の抜止め部２３ｂとを備えている。
【００３６】
すなわち、この軸受け部２３のほぼ半円形の凹部２３ａは、図２および図８に示すように、鍵配列方向に沿って連続して設けられている。また、円弧状の抜止め部２３ｂは、図２に示すように、互いに隣接する回転軸部１２、１６、２０の各両端部における後側半分を凹部２３ａと共に包み込むように設けられている。この場合、１オクターブ分の長さに相当する両端部に位置する円弧状の抜止め部２３ｂには、図８および図９に示すように、第１の白鍵ユニット８の両端に位置する回転軸部１２の端部を位置規制する位置規制リブ２３ｃが設けられている。
【００３７】
これにより、複数の軸受け部２３は、図２および図３に示すように、第１、第２の各白鍵ユニット８、９および黒鍵ユニット１０の各回転軸部１２、１６、２０が、軸受け部２３の前側（図２では左側）から各凹部２３ａ内に挿入される際に、各回転軸部１２、１６、２０の各両端部がそれぞれ各円弧状の抜止め部２３ｂ内に挿入されることにより、鍵本体１１、１５、１９が上下方向に回転可能に取り付けられるように構成されている。
【００３８】
また、鍵搭載部３６上の複数の取付ボス２４は、図７および図８に示すように、第１、第２の各白鍵ユニット８、９および黒鍵ユニット１０の各連結部１４、１８、２２に設けられた取付片１４ａ、１８ａ、２２ａに対応してそれぞれ設けられている。すなわち、複数の取付ボス２４のうちのいずれかは、第１の白鍵ユニット８の連結部１４に設けられた取付片１４ａに対応して設けられており、他のいずれかは、第２の白鍵ユニット９と黒鍵ユニット１０との各連結部１８、２２に設けられた各取付片１８ａ、２２ａに対応して設けられている。
【００３９】
次に、このような鍵盤楽器において鍵盤シャーシ３上に第１、第２の各白鍵ユニット８、９および黒鍵ユニット１０を組み付ける場合について説明する。
まず、第１、第２の各白鍵ユニット８、９と黒鍵ユニット１０とを組み合わせる。この場合には、黒鍵ユニット１０の各鍵本体１９の間に第１の白鍵ユニット８の各鍵本体１１を上方から配置し、黒鍵ユニット１０の連結部２２上に第１の白鍵ユニット８の連結部１４を重ね合わせる。
【００４０】
このときには、黒鍵ユニット１０の連結部２２に設けられた取付片２２ａが、第１の白鍵ユニット８の連結部１４に設けられた取付片１４ａの間に配置される。この状態で、黒鍵ユニット１０の各鍵本体１９と第１の白鍵ユニット８の各鍵本体１１との間に、第２の白鍵ユニット９の各鍵本体１５を上方から配置し、第１の白鍵ユニット８の連結部１４上に第２の白鍵ユニット９の連結部１８を重ね合わせる。
【００４１】
このときには、第２の白鍵ユニット９の連結部１８に設けられた各取付片１８ａは、図２に示すように、黒鍵ユニット１０の連結部２２に設けられた各取付片２２ａに重なり合った状態で、第１の白鍵ユニット８の連結部１４に設けられた各取付片１４ａの間に配置される。これにより、第１、第２の各白鍵ユニット８、９および黒鍵ユニット１０の各鍵本体１１、１５、１９が音階順に配列される。
【００４２】
この後、第１、第２の各白鍵ユニット８、９および黒鍵ユニット１０を鍵盤シャーシ３上に配置する。このときには、音階順に配列された第１、第２の各白鍵ユニット８、９および黒鍵ユニット１０の各鍵本体１１、１５、１９にそれぞれ設けられたストッパフック部２６の突起部２６ａを、鍵盤シャーシ３の下限ストッパ搭載部２８上に設けられた立上り部３０の開口部３０ａに対応させる。
【００４３】
この状態で、図２および図３に示すように、第１、第２の各白鍵ユニット８、９および黒鍵ユニット１０の各回転軸部１２、１６、２０を、鍵盤シャーシ３の鍵搭載部３６上に設けられた複数の軸受け部２３にそれぞれ取り付ける。
【００４４】
このときには、まず、第１、第２の各白鍵ユニット８、９および黒鍵ユニット１０の各回転軸部１２、１６、２０に連結された各連結部１４、１８、２２の各屈曲部１３、１７、２１を、鍵盤シャーシ３の各軸受け部２３の各抜止め部２３ｂ間に上方から挿入させて、第１、第２の各白鍵ユニット８、９および黒鍵ユニット１０の各回転軸部１２、１６、２０を鍵配列方向に位置規制する。
【００４５】
この状態で、第１、第２の各白鍵ユニット８、９および黒鍵ユニット１０の各回転軸部１２、１６、２０を、各軸受け部２３の前側（図２では左側）から各軸受け部２３の各凹部２３ａ内に挿入させて、各回転軸部１２、１６、２０の両端部をそれぞれ各軸受け部２３の各円弧状の抜止め部２３ｂ内に挿入させる。これにより、第１、第２の各白鍵ユニット８、９および黒鍵ユニット１０の各回転軸部１２、１６、２０が、鍵盤シャーシ３の鍵搭載部３６上に設けられた複数の軸受け部２３にそれぞれ回転可能に取り付けられる。
【００４６】
このときには、第１、第２の各白鍵ユニット８、９および黒鍵ユニット１０の各連結部１４、１８、２２にそれぞれ設けられた各取付片１３、１７、２１が、鍵盤シャーシ３の鍵搭載部３６上に設けられた複数の取付ボス２４上にそれぞれ配置される。この状態で、第１、第２の各白鍵ユニット８、９および黒鍵ユニット１０の各取付片１４ａ、１８ａ、２２ａを、鍵盤シャーシ３の各取付ボス２４上にビス３７によって取り付ける。これにより、第１、第２の各白鍵ユニット８、９および黒鍵ユニット１０が鍵盤シャーシ３上に取り付けられる。
【００４７】
この状態では、図２および図３に示すように、第１、第２の各白鍵ユニット８、９および黒鍵ユニット１０の各ストッパフック部２６の突起部２６ａが、鍵盤シャーシ３の下限ストッパ搭載部２８上に設けられた立上り部３０の開口部３０ａに上下方向に移動可能に挿入される。また、このときには、第１、第２の各白鍵ユニット８、９および黒鍵ユニット１０の各スイッチ押圧部２５が、鍵盤シャーシ３の基板搭載部３３上のスイッチ基板３４に設けられたスイッチ部３５の各ドーム状の膨出部３５ａに対応して配置される。
【００４８】
次に、このような鍵盤楽器を使用する場合について説明する。
第１、第２の各白鍵ユニット８、９および黒鍵ユニット１０の各鍵本体１１、１５、１９を押鍵操作すると、各鍵本体１１、１５、１９は、それぞれ回転軸部１２、１６、２０を中心に下側に向けて回転する。このときには、第１、第２の各白鍵ユニット８、９および黒鍵ユニット１０の各連結部１４、１８、２２が鍵盤シャーシ３に対して固定されているが、第１、第２の各白鍵ユニット８、９および黒鍵ユニット１０の各屈曲部１３、１７、２１が回転軸部１２、１６、２０の回転に伴って上側に屈曲する。
【００４９】
このように第１、第２の各白鍵ユニット８、９および黒鍵ユニット１０の各鍵本体１１、１５、１９が回転軸部１２、１６、２０を中心に下側に向けて回転すると、各鍵本体１１、１５、１９の各スイッチ押圧部２５がスイッチ基板３４上のスイッチ部３５を押圧する。これにより、スイッチ部３５の各ドーム状の膨出部３５ａが弾性変形して、その内部の可動接点がスイッチ基板３４上の固定接点に接触してスイッチ信号を出力する。
【００５０】
この後、更に、第１、第２の各白鍵ユニット８、９および黒鍵ユニット１０の各鍵本体１１、１５、１９が、回転軸部１２、１６、２０を中心に下側に向けて回転すると、各鍵本体１１、１５、１９の各ストッパフック部２６が、鍵盤シャーシ３の下限ストッパ搭載部２８に設けられた下限ストッパ部２９に当接して、各鍵本体１１、１５、１９の各下限位置が規制される。
【００５１】
そして、第１、第２の各白鍵ユニット８、９および黒鍵ユニット１０の各鍵本体１１、１５、１９が、初期位置に戻る際には、スイッチ部３５の各膨出部３５ａがそれぞれ弾性復帰する弾性力によって、各鍵本体１１、１５、１９の各スイッチ押圧部２５が押し上げられる。これにより、各鍵本体１１、１５、１９が、回転軸部１２、１６、２０を中心に上側に向けて回転して元の位置に戻る。このときも、第１、第２の各白鍵ユニット８、９および黒鍵ユニット１０の各屈曲部１３、１７、２１が、回転軸部１２、１６、２０の回転に伴って下側に屈曲する。
【００５２】
このように、この鍵盤楽器によれば、並列に配列された複数の鍵本体１１、１５、１９と、この複数の鍵本体１１、１５、１９の各後端部にそれぞれ設けられて複数の鍵本体１１、１５、１９における上下方向の回転支点となる複数の回転軸部１２、１６、２０と、この複数の回転軸部１２、１６、２０をそれぞれ回転可能な状態で鍵配列方向に沿って連結する連結部１４、１８、２２とを備えていることにより、鍵ガイドを用いずに、鍵本体１１、１５、１９間の隙間や、鍵本体１１、１５、１９の並びを、均一に維持することができると共に、鍵本体１１、１５、１９を上下方向に安定した状態で良好に回転させることができる。
【００５３】
すなわち、この鍵盤楽器では、複数の鍵本体１１、１５、１９の各後端部にそれぞれ設けられた複数の回転軸部１２、１６、２０が、連結部１４、１８、２２によって回転可能な状態で鍵配列方向に沿って連結されているので、第１、第２の各白鍵ユニット８、９および黒鍵ユニット１０ごとに、複数の鍵本体１１、１５、１９を一体に成形することができ、これにより生産性の向上を図ることができる。
【００５４】
また、このように複数の鍵本体１１、１５、１９を一体に形成しても、鍵本体１１、１５、１９の各前端部から各回転軸部１２、１６、２０までの剛性を確保することができるので、各回転軸部１２、１６、２０を均一に配列することにより、鍵本体１１、１５、１９間の隙間や、鍵本体１１、１５、１９の並びを、均一に維持することができる。
【００５５】
また、各鍵本体１１、１５、１９を押鍵操作した際には、各回転軸部１２、１６、２０によって鍵本体１１、１５、１９を安定した状態で回転させることができるので、鍵本体１１、１５、１９がその配列方向に傾いて上下方向に回転するローリング動作などの不安定な動作を防ぐことができる。このため、鍵ガイドを用いなくても、鍵本体１１、１５、１９間の隙間や、鍵本体１１、１５、１９の並びを、均一に維持することができると共に、鍵本体１１、１５、１９を上下方向に安定した状態で良好に回転させることができる。
【００５６】
この場合、連結部１４、１８、２２には、各回転軸部１２、１６、２０にそれぞれ連結されて上下方向に屈曲する屈曲部１３、１７、２１がそれぞれ設けられていることにより、各回転軸部１２、１６、２０をそれぞれ独立して回転させることができる。すなわち、各鍵本体１１、１５、１９が回転軸部１２、１６、２０を中心に回転し、この回転軸部１２、１６、２０が鍵本体１１、１５、１９と共に回転する際には、この回転軸部１２、１６、２０の回転に応じて屈曲部１３、１７、２１が屈曲するので、第１、第２の各白鍵ユニット８、９および黒鍵ユニット１０ごとに、複数の鍵本体１１、１５、１９を一体に成形しても、回転軸部１２、１６、２０を鍵本体１１、１５、１９と共にそれぞれ独立して回転させることができる。
【００５７】
また、この鍵盤楽器によれば、鍵盤シャーシ３に複数の回転軸部１２、１６、２０をそれぞれ上下方向に回転可能に支持する鍵支持部である複数の軸受け部２３が設けられているので、この複数の軸受け部２３によって各回転軸部１２、１６、２０を回転可能な状態で、確実に且つ良好に保持することができる。このため、鍵ガイドを用いなくても、鍵本体１１、１５、１９間の隙間や、鍵本体１１、１５、１９の並びを、より一層、均一に維持することができると共に、鍵本体１１、１５、１９を上下方向に安定した状態で良好に回転させることができる。
【００５８】
すなわち、この鍵盤楽器では、鍵盤シャーシ３に設けられた複数の軸受け部２３によって複数の鍵本体１１、１５、１９の各後端部にそれぞれ設けられた各回転軸部１２、１６、２０をそれぞれ上下方向に回転可能な状態で均一に保持することができるので、鍵本体１１、１５、１９間の隙間や、鍵本体１１、１５、１９の並びを、均一に維持することができると共に、鍵本体１１、１５、１９を押鍵操作した際に、鍵本体１１、１５、１９がその配列方向に傾いて上下方向に回転するローリング動作などの不安定な動作を確実に防ぐことができる。
【００５９】
この場合にも、複数の鍵本体１１、１５、１９の各後端部にそれぞれ設けられた複数の回転軸部１２、１６、２０を連結部１４、１８、２２によって鍵配列方向に沿って連結して、第１、第２の各白鍵ユニット８、９および黒鍵ユニット１０ごとに、複数の鍵本体１１、１５、１９を一体に成形した状態で、第１、第２の各白鍵ユニット８、９および黒鍵ユニット１０を鍵盤シャーシ３に一度に組み付けることができる。
【００６０】
このように、第１、第２の各白鍵ユニット８、９および黒鍵ユニット１０を鍵盤シャーシ３に組み付けても、連結部１４、１８、２２の屈曲部１３、１７、２１の上下方向への屈曲によって、回転軸部１２、１６、２０をそれぞれ独立させて鍵本体１１、１５、１９と共に良好に回転させることができる。
【００６１】
また、この鍵盤楽器では、複数の回転軸部１２、１６、２０をそれぞれ回転可能に支持する複数の軸受け部２３が、上側が開放された鍵配列方向に沿って連続するほぼ半円形の凹部２３ａと、この凹部２３ａの後端において各回転軸部１２、１６、２０の各両端部に位置する箇所に設けられて互いに隣接する回転軸部１２、１６、２０の各両端部における後側半分を凹部２３ａと共に包み込む円弧状の抜止め部２３ｂとを備えた構成であるから、複数の回転軸部１２、１６、２０を複数の軸受け部２３に簡単に取り付けることができると共に、確実に且つ良好に回転軸部１２、１６、２０を回転可能に取り付けることができる。
【００６２】
すなわち、複数の回転軸部１２、１６、２０を各軸受け部２３の前側（図２では左側）から各軸受け部２３の各凹部２３ａ内に挿入させて、各回転軸部１２、１６、２０の両端部をそれぞれ各軸受け部２３の各円弧状の抜止め部２３ｂ内に挿入させることにより、各回転軸部１２、１６、２０を各軸受け部２３に簡単に且つ容易に回転可能な状態で取り付けることができると共に、確実に且つ良好に回転軸部１２、１６、２０を取り付けることができる。
【００６３】
また、各回転軸部１２、１６、２０に連結された各屈曲部１３、１７、２１は、各軸受け部２３の各抜止め部２３ｂ間に上方から挿入して配置されていることにより、各回転軸部１２、１６、２０を鍵配列方向に位置規制することができる。これにより、各鍵本体１１、１５、１９を鍵盤シャーシ３上に均一に且つ良好に配列させることができるので、鍵本体１１、１５、１９間の隙間や、鍵本体１１、１５、１９の並びを、より一層、均一に維持することができる。
【００６４】
さらに、複数の軸受け部２３のうち、１オクターブ分の長さに相当する両端部に位置する軸受け部２３の円弧状の抜止め部２３ｂには、回転軸部１２、１６、２０のうち、第１の白鍵ユニット８の両側に位置する回転軸部１２の端部を位置規制する位置規制リブ２３ｃが設けられているので、これによっても各回転軸部１２、１６、２０を鍵配列方向に正確に且つ良好に位置規制することができる。
【００６５】
（実施形態２）
次に、図１０〜図１４を参照して、この発明を鍵盤楽器に適用した実施形態２について説明する。なお、図１〜図９に示された実施形態１と同一部分には同一符号を付して説明する。
この鍵盤楽器は、図１０および図１１に示すように、複数の鍵本体１１、１５、１９の各後端部にそれぞれ設けられた各回転軸部１２、１６、２０の支持構造が実施形態１と異なる構成であり、これ以外は実施形態１とほぼ同じ構成になっている。
【００６６】
この場合、各回転軸部１２、１６、２０には、図１０および図１１に示すように、それぞれ軸孔１２ａ、１６ａ、２０ａが鍵配列方向に沿って貫通して設けられている。この各軸孔１２ａ、１６ａ、２０ａは、それぞれ同一軸上に設けられ、１オクターブ分の長さに形成された１本の支持軸４０が連続して挿入するように形成されている。
【００６７】
この支持軸４０は、図１３および図１４に示すように、その両端部が鍵盤シャーシ３の鍵搭載部３６上に設けられた一対の軸支持部４１によって支持されるように構成されている。これにより、第１、第２の各白鍵ユニット８、９および黒鍵ユニット１０の各鍵本体１１、１５、１９は、図１０および図１１に示すように、各回転軸部１２、１６、２０が回転可能に取り付けられた支持軸４０を中心に上下方向に回転するように構成されている。
【００６８】
この場合にも、各回転軸部１２、１６、２０は、実施形態１と同様、それぞれ屈曲部１３、１７、２１を介して、第１、第２の各白鍵ユニット８、９および黒鍵ユニット１０ごとに、それぞれ各連結部１４、１８、２２に連結されている。また、鍵盤シャーシ３の後に位置する鍵搭載部３６上には、実施形態１と同様、各回転軸部１２、１６、２０をそれぞれ回転可能に保持する複数の軸受け部２３が設けられている。
【００６９】
このような鍵盤楽器によれば、実施形態１と同様の作用効果があるほか、複数の回転軸部１２、１６、２０に、鍵配列方向に貫通する軸孔１２ａ、１６ａ、２０ａがそれぞれ設けられ、この各軸孔１２ａ、１６ａ、２０ａに１本の支持軸４０が連続して挿入され、この１本の支持軸４０に各回転軸部１２、１６、２０が上下方向に回転可能に支持されている構成であるから、第１、第２の各白鍵ユニット８、９および黒鍵ユニット１０ごとに、各鍵本体１１、１５、１９がバラバラにならず、これら第１、第２の各白鍵ユニット８、９および黒鍵ユニット１０を簡単に且つ容易に鍵盤シャーシ３に一度に組み付けることができる。
【００７０】
この場合、鍵盤シャーシ３には、第１、第２の各白鍵ユニット８、９および黒鍵ユニット１０の各回転軸部１２、１６、２０が取り付けられた１本の支持軸４０を支持する鍵支持部である一対の軸支持部４１が設けられているので、この一対の軸支持部４１に支持軸４０の両端部を取り付けるだけで良いので、これによっても第１、第２の各白鍵ユニット８、９および黒鍵ユニット１０を簡単に且つ容易に鍵盤シャーシ３に一度に組み付けることができ、これにより組立作業の簡素化を図ることができる。
【００７１】
なお、上述した実施形態２では、鍵盤シャーシ３の鍵搭載部３６上に、各回転軸部１２、１６、２０をそれぞれ回転可能に保持する軸受け部２３が設けられている場合について述べたが、必ずしも軸受け部２３を設ける必要はなく、鍵盤シャーシ３の鍵搭載部３６上に一対の軸支持部４１を設け、この一対の軸支持部４１によって支持軸４０の両端部を支持するだけの構成であっても良い。このように構成すれば、鍵盤シャーシ３の構造を簡素化することができる。
【００７２】
（実施形態３）
次に、図１５〜図２０を参照して、この発明を鍵盤楽器に適用した実施形態３について説明する。この場合には、図１０〜図１４に示された実施形態２と同一部分に同一符号を付して説明する。
この鍵盤楽器は、図１５〜図１７に示すように、第１、第２の各白鍵ユニット８、９および黒鍵ユニット１０における複数の鍵本体１１、１５、１９の各後端部にそれぞれ設けられた各回転軸部１２、１６、２０に支持軸４０を取り付ける取付構造が実施形態２と異なる構成であり、これ以外は実施形態２とほぼ同じ構成になっている。
【００７３】
すなわち、第１、第２の各白鍵ユニット８、９および黒鍵ユニット１０における各回転軸部１２、１６、２０には、図１６〜図２０に示すように、支持軸４０が回転可能に挿入する各軸孔１２ａ、１６ａ、２０ａがそれぞれ鍵配列方向に沿って設けられている。また、この各回転軸部１２、１６、２０には、その各軸孔１２ａ、１６ａ、２０ａ内に支持軸４０が、その軸方向と直交する上下方向における下側から相対的に挿入する切欠部１２ｂ、１６ｂ、２０ｂがそれぞれ設けられている。この各切欠部１２ｂ、１６ｂ、２０ｂは、支持軸４０の外径よりも少し短い切欠幅で、各回転軸部１２、１６、２０の下面部にその軸方向に沿ってそれぞれ形成されている。
【００７４】
これにより、第１、第２の各白鍵ユニット８、９および黒鍵ユニット１０における各回転軸部１２、１６、２０は、支持軸４０を各軸孔１２ａ、１６ａ、２０ａに鍵本体１１、１５、１９の配列方向に沿って順次挿入させる必要がなく、第１、第２の各白鍵ユニット８、９、１０の各鍵本体１１、１５、１９における各回転軸部１２、１６、２０の切欠部１２ｂ、１６ｂ、２０ｂを通して支持軸４０が各軸孔１２ａ、１６ａ、２０ａ内に挿入するように構成されている。
【００７５】
この場合、第１、第２の各白鍵ユニット８、９および黒鍵ユニット１０における鍵本体１１、１５、１９のうち、最も高音側に位置する鍵本体１１の回転軸部１２には、図１８（ａ）および図１８（ｂ）に示すように、その高音側の端面から鍵本体１１の配列方向に沿って突出する連結軸４２が設けられている。
【００７６】
この連結軸４２は、図１８（ａ）および図１８（ｂ）に示すように、その突出長さがこれに隣接する高音側の第１白鍵ユニット１１における最も低音側に位置する鍵本体１１の回転軸部１２とほぼ同じ長さ、つまり鍵本体１１の配列方向における回転軸部１２の長さとほぼ同じ長さに形成されている。
【００７７】
これにより、この連結軸４２は、その高音側に隣接する次の第１白鍵ユニット１１における最も低音側に位置する回転軸部１２がその切欠部１２ｂを通して軸孔１２ａ内に挿入することにより、低音側の第１白鍵ユニット８とこれに連接する高音側の第１白鍵ユニット８とを連結するように構成されている。
【００７８】
このような鍵盤楽器によれば、実施形態１と同様の作用効果があるほか、複数の鍵本体１１、１５、１９の各回転軸部１２、１６、２０に、支持軸４０が挿入する各軸孔１２ａ、１６ａ、２０ａを設けると共に、これら各回転軸部１２、１６、２０には、その各軸孔１２ａ、１６ａ、２０ａ内に支持軸４０を上下方向から相対的に挿入させる切欠部１２ｂ、１６ｂ、２０ｂを設けた構成であるから、各軸孔１２ａ、１６ａ、２０ａに支持軸４０を鍵本体１１、１５、１９の配列方向に沿って順次挿入させる必要がなく、第１、第２の各白鍵ユニット８、９および黒鍵ユニット１０の各回転軸部１２、１６、２０を支持軸４０に上下方向から簡単に取り付けることができる。
【００７９】
すなわち、この鍵盤楽器では、第１白鍵ユニット８を支持軸４０に取り付ける際に、第１白鍵ユニット８の各鍵本体１１における各回転軸部１２の切欠部１２ｂから支持軸４０を各軸孔１２ａ内に挿入させることができる。同様に、第２白鍵ユニット９を支持軸４０に取り付ける際には、第２白鍵ユニット９の各鍵本体１５における各回転軸部１６の切欠部１６ｂから支持軸４０を各軸孔１６ａ内に挿入させることができ、また黒鍵ユニット１０を支持軸４０に取り付ける際には、黒鍵ユニット１０の各鍵本体１９における各回転軸部２０の切欠部２０ｂから支持軸４０を各軸孔２０ａ内に挿入させることができる。
【００８０】
このため、この鍵盤楽器によれば、支持軸４０に黒鍵ユニット１０の各回転軸部２０を取り付け、この状態で黒鍵ユニット１０の各鍵本体１９間に第１白鍵ユニット８の各鍵本体１１を上方から配置して、各回転軸部１２の各軸孔１２ａ内に支持軸４０を各切欠部１２ｂから挿入させて各回転軸部１２を支持軸４０に取り付けることができると共に、これら黒鍵ユニット１０の各鍵本体１９および第１白鍵ユニット８の各鍵本体１１との各間に、第２白鍵ユニット９の各鍵本体１５を上方から配置して、各回転軸部１６の各軸孔１６ａ内に支持軸４０を各切欠部１６ｂから挿入させて各回転軸部１６を支持軸４０に取り付けることができる。
【００８１】
これにより、この鍵盤楽器では、第１、第２の各白鍵ユニット８、９および黒鍵ユニット１０を支持軸４０に実施形態２よりも簡単に且つ容易に取り付けることができると共に、実施形態２と同様、第１、第２の各白鍵ユニット８、９および黒鍵ユニット１０ごとに、各鍵本体１１、１５、１９がバラバラにならず、これら第１、第２の各白鍵ユニット８、９および黒鍵ユニット１０を簡単に且つ容易に鍵盤シャーシ３に一度に組み付けることができる。
【００８２】
また、この鍵盤楽器では、第１、第２の各白鍵ユニット８、９および黒鍵ユニット１０における鍵本体１１、１５、１９のうち、最も高音側に位置する鍵本体１１の回転軸部１２に、その高音側の端面から鍵本体１１の配列方向に沿って突出する連結軸４２が設けられているので、連結軸４２を高音側に隣接する次の第１白鍵ユニット１１における最も低音側に位置する回転軸部１２の軸孔１２ａ内にその切欠部１２ｂから挿入させることができ、これにより低音側の第１白鍵ユニット８とこれに隣接する高音側の第１白鍵ユニット８とを連結軸４２によって簡単に且つ容易に連結することができる。
【００８３】
なお、上述した実施形態３においても、鍵盤シャーシ３の鍵搭載部３６上に、各回転軸部１２、１６、２０をそれぞれ回転可能に保持する軸受け部２３が設けられている場合について述べたが、必ずしも軸受け部２３を設ける必要はなく、鍵盤シャーシ３の鍵搭載部３６上に一対の軸支持部４１を設け、この一対の軸支持部４１によって支持軸４０の両端部を支持するだけの構成であっても良い。このように構成すれば、鍵盤シャーシ３の構造を簡素化することができる。
【００８４】
（実施形態４）
次に、図２１および図２２を参照して、この発明を鍵盤楽器に適用した実施形態４について説明する。この場合には、図１５〜図２０に示された実施形態３と同一部分に同一符号を付して説明する。
この鍵盤楽器は、支持軸４０を用いずに、第１、第２の各白鍵ユニット８、９および黒鍵ユニット１０を連結する構成であり、これ以外は実施形態３とほぼ同じ構成になっている。
【００８５】
すなわち、第１、第２の各白鍵ユニット８、９および黒鍵ユニット１０の各連結部１４、１８、２１のうち、これらを重ねた際に最も下側に位置する連結部２１を有する黒鍵ユニット１０の各回転軸部２０は、それぞれ丸棒状に形成されている。この黒鍵ユニット１０の各回転軸部２０には、図２１に示すように、その各端面から鍵本体１９の配列方向に向けて突出する突起軸４５がそれぞれ設けられている。
【００８６】
この突起軸４５は、図２１および図２２に示すように、その軸径が回転軸部２０の外径よりも小さく、且つ第１、第２の各白鍵ユニット８、９の各回転軸部１２、１６における各軸孔１２ａ、１６ａの内径とほぼ同じ大きさに形成されている。また、この突起軸４５は、回転軸部２０の端面から突出する長さが、第１、第２の各白鍵ユニット８、９の各回転軸部１２、１６の軸方向の長さとほぼ同じか、それよりも少し短く形成されている。これら各突起軸４５は、図２１に示すように、各回転軸部２０の高音側に位置する各端面（図２１では右端面）に設けられている。
【００８７】
この場合、各突起軸４５は、図２１に示すように、最も低音側に位置する回転軸部２０と、第１、第２の各白鍵ユニット８、９における２つの鍵本体盤１１、１５が配置される箇所の回転軸部２０とにおける低音側に位置する各端面（図２１では左端面）にも、設けられている。これにより、各突起軸４５は、鍵配列方向において同一軸上に連続する状態で配列されている。
【００８８】
一方、第１、第２の各白鍵ユニット８、９は、図１８および図１９に示した実施形態３と同様、鍵本体１１、１５の各後端部にそれぞれ設けられた各回転軸部１２、１６に軸孔１２ａ、１６ａが鍵配列方向に貫通して設けられている。この軸孔１２ａ、１６ａは、黒鍵ユニット１０の各回転軸部２０にそれぞれ設けられた突起軸４５が回転可能に挿入するように形成されている。
【００８９】
また、第１、第２の各白鍵ユニット８、９の各回転軸部１２、１６には、図１８および図１９に示した実施形態３と同様、各軸孔１２ａ、１６ａ内に、黒鍵ユニット１０における各回転軸部２０の突起軸４５がその軸方向と直交する上下方向における下側から相対的に挿入する切欠部１２ｂ、１６ｂがそれぞれ設けられている。この各切欠部１２ｂ、１６ｂは、突起軸４５の外径よりも少し短い切欠幅で、各回転軸部１２、１６の下面部にその軸方向に沿ってそれぞれ形成されている。
【００９０】
これにより、第１、第２の各白鍵ユニット８、９および黒鍵ユニット１０は、黒鍵ユニット１０の各鍵本体１９の間に第１、第２の各白鍵ユニット８、９の各鍵本体１１、１５を配置し、この状態で黒鍵ユニット１０の各回転軸部２０に設けられた各突起軸４５が、第１、第２の各白鍵ユニット８、９の各回転軸部１２、１６の切欠部１２ｂ、１６ｂを通して各軸孔１２ａ、１６ａ内に相対的に挿入することにより、第１、第２の各白鍵ユニット８、９および黒鍵ユニット１０が一体的に連結されるように構成されている。
【００９１】
このような鍵盤楽器によれば、実施形態１と同様の作用効果があるほか、第１、第２の各白鍵ユニット８、９および黒鍵ユニット１０のうち、いずれかのユニット、例えば黒鍵ユニット１０の回転軸部２０に、その端面から鍵配列方向に向けて突出する突起軸４５を設け、他のユニット、例えば第１、第２の各白鍵ユニット８、９の第１、第２の各回転軸部１２、１６に、軸孔１２ａ、１６ａをそれぞれ鍵配列方向に貫通させて設けると共に、この軸孔１２ａ、１６ａ内に突起軸４５が上下方向から相対的に挿入する切欠部１２ｂ、１６ｂを設けた構成であるから、実施形態２、３のような支持軸４０を用いずに、第１、第２の各白鍵ユニット８、９および黒鍵ユニット１０を一体的に連結することができる。
【００９２】
すなわち、この鍵盤楽器では、黒鍵ユニット１０の各鍵本体１９の間に第１、第２の各白鍵ユニット８、９の各鍵本体１１、１５を配置し、この状態で黒鍵ユニット１０の各回転軸部２０に設けられた各突起軸４５を、第１、第２の各白鍵ユニット８、９の各回転軸部１２、１６の切欠部１２ｂ、１６ｂから各軸孔１２ａ、１６ａ内に相対的に挿入させることにより、支持軸４０を用いる必要がなく、第１、第２の各白鍵ユニット８、９および黒鍵ユニット１０を一体的に連結することができる。
【００９３】
このため、この鍵盤楽器によれば、第１、第２の各白鍵ユニット８、９および黒鍵ユニット１０を簡単に且つ容易に取り付けることができると共に、実施形態２、３と同様、第１、第２の各白鍵ユニット８、９および黒鍵ユニット１０ごとに、各鍵本体１１、１５、１９がバラバラにならず、これら第１、第２の各白鍵ユニット８、９および黒鍵ユニット１０を簡単に且つ容易に鍵盤シャーシ３に一度に組み付けることができる。
【００９４】
なお、上述した実施形態４では、黒鍵ユニット１０における各回転軸部２０の各端面にそれぞれ突起軸４５をそれぞれ個別に形成した場合について述べたが、必ずしも突起軸４５を個別に形成する必要なく、各回転軸部２０の各端面に突起軸４５を連続させた状態で一体に形成しても良い。このように形成すれば、突起軸４５によって第１、第２の各白鍵ユニット８、９の各回転軸部１２、１６を確実に且つ強固に保持することができるので、第１、第２の各白鍵ユニット８、９および黒鍵ユニット１０を確実に連結して一体化することができる。
【００９５】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００９６】
（付記）
請求項１に記載の発明は、並列に配列された複数の鍵本体と、この複数の鍵本体の各後端部にそれぞれ設けられて前記複数の鍵本体における上下方向の回転支点となる複数の回転軸部と、この複数の回転軸部をそれぞれ回転可能な状態で前記鍵本体の配列方向に沿って連結する連結部とを備えていることを特徴とする鍵構造である。
【００９７】
請求項２に記載の発明は、請求項１に記載の鍵構造において、前記連結部には、前記複数の回転軸部にそれぞれ連結されて上下方向に屈曲する複数の屈曲部が設けられていることを特徴とする鍵構造である。
【００９８】
請求項３に記載の発明は、請求項１または請求項２に記載の鍵構造において、前記複数の回転軸部には、前記鍵本体の配列方向に貫通する軸孔がそれぞれ設けられており、この軸孔には、前記回転軸部を上下方向に回転可能に支持する支持軸が挿入されていることを特徴とする鍵構造である。
【００９９】
請求項４に記載の発明は、請求項３に記載の鍵構造において、前記複数の回転軸部には、前記支持軸を前記軸孔内に挿入するための切欠き部が、設けられていることを特徴とする鍵構造である。
【０１００】
請求項５に記載の発明は、請求項１〜請求項４のいずれかに記載の鍵構造において、第１回転軸部を有する第１鍵本体が第１連結部によって所定間隔で連結された第１鍵ユニットと、第２回転軸部を有する第２鍵本体が前記第１鍵本体の各間に位置した状態で第２連結部によって連結された第２鍵ユニットとを備え、前記第１鍵本体の各間に前記第２鍵本体を配置すると共に前記第１回転軸部の各間に前記第２回転軸部を配置した際に、前記第１連結部と前記第２連結部とが重なることを特徴とする鍵構造である。
【０１０１】
請求項６に記載の発明は、請求項５に記載の鍵構造において、前記第１、第２の各回転軸部のうち、一方の各回転軸部には、その端面から前記鍵本体の配列方向に向けて突出する突起軸が設けられており、前記第１、第２の各回転軸部のうち、他方の各回転軸部には、前記突起軸が挿入する軸孔がそれぞれ前記鍵本体の配列方向に貫通して設けられていると共に、前記軸孔内に前記突起軸がその軸方向と直交する方向から相対的に挿入する切欠部が設けられていることを特徴とする鍵構造である。
【０１０２】
請求項７に記載の発明は、複数の鍵が鍵盤シャーシ上に配列された状態でそれぞれ上下方向に回転可能に設けられた鍵盤装置において、
前記複数の鍵は、前記鍵盤シャーシ上に並列に配列される複数の鍵本体と、この複数の鍵本体の各後端部にそれぞれ設けられて前記複数の鍵本体における上下方向の回転支点となる複数の回転軸部と、この複数の回転軸部をそれぞれ上下方向に屈曲する屈曲部によって前記鍵本体の配列方向に沿って連結する連結部とを備えており、
前記鍵盤シャーシには、前記複数の回転軸部をそれぞれ上下方向に回転可能に支持する鍵支持部が設けられていることを特徴とする鍵盤装置である。
【０１０３】
請求項８に記載の発明は、請求項７に記載の鍵盤装置において、前記鍵支持部は、前記複数の回転軸部をそれぞれ回転可能に保持する複数の軸受け部であることを特徴とする鍵盤装置である。
【０１０４】
請求項９に記載の発明は、請求項７または請求項８に記載の鍵盤装置において、前記複数の回転軸部には、前記鍵本体の配列方向に貫通する軸孔がそれぞれ設けられており、前記鍵支持部は、前記複数の回転軸部の前記各軸孔に連続して挿入する支持軸と、この支持軸を支持する軸支持部とを備えていることを特徴とする鍵盤装置である。
【符号の説明】
【０１０５】
１  楽器本体
２  上部ケース
３  鍵盤シャーシ
８  第１の白鍵ユニット
９  第２の白鍵ユニット
１０  黒鍵ユニット
１１、１５  鍵本体
１２、１６、２０  回転軸部
１２ａ、１６ａ、２０ａ  軸孔
１２ｂ、１６ｂ、２０ｂ  切欠部
１３、１７、２１  屈曲部
１４、１８、２２  連結部
１４ａ、１８ａ、２２ａ  取付片
２３  軸受け部
２３ａ  半円形状の凹部
２３ｂ  円弧上の抜止め部
２４  取付ボス
４０  支持軸
４１  一対の軸支持部
４２  連結軸
４５  突起軸
【図１】
0005861862.tif 000002
【図２】
0005861862.tif 000003
【図３】
0005861862.tif 000004
【図４】
0005861862.tif 000005
【図５】
0005861862.tif 000006
【図６】
0005861862.tif 000007
【図７】
0005861862.tif 000008
【図８】
0005861862.tif 000009
【図９】
0005861862.tif 000010
【図１０】
0005861862.tif 000011
【図１１】
0005861862.tif 000012
【図１２】
0005861862.tif 000013
【図１３】
0005861862.tif 000014
【図１４】
0005861862.tif 000015
【図１５】
0005861862.tif 000016
【図１６】
0005861862.tif 000017
【図１７】
0005861862.tif 000018
【図１８】
0005861862.tif 000019
【図１９】
0005861862.tif 000020
【図２０】
0005861862.tif 000021
【図２１】
0005861862.tif 000022
【図２２】
0005861862.tif 000023